(57)【要約】      （修正有）【課題】円筒状対象物表面の汚れを除去するに際して、簡単に装着できかつ効率良く洗浄のできる摺洗具を提供する。【解決手段】少なくとも２本以上の細い金属の芯線１の間に、芯線１に垂直方向に毛材２を挟んで撚ることにより形成したブラシ材を、さらにらせん状に成形した摺洗具４を円筒状対象物３に装着して、該摺洗具４をスライドおよび回転させるだけで簡単に表面の汚れを除去することができるようにした。【選択図】図１
0003202995.tif 000002
【実用新案登録請求の範囲】
【請求項１】
少なくとも２本以上の細い金属の芯線の間に、芯線に垂直方向に毛材を挟んで撚ることにより形成したブラシ材を、さらにらせん状に成形した事を特徴とする摺洗具。
【請求項２】
少なくとも２本以上の細い金属の芯線の間に、芯線に垂直方向に毛材を挟んで撚ることにより形成したブラシ材をらせん状に成形し、毛先がらせん中心方向にのみ向いている事を特徴とする摺洗具。
【考案の詳細な説明】
【技術分野】
【０００１】
本考案は、ホースや管に被せて簡易に周囲を洗浄できる摺洗具に関する。
【背景技術】
【０００２】
金属または合成樹脂製の柱、パイプやホース、あるいは電力、通信ケーブルなどの周囲を洗浄する場合、従来は平面状の台に種々の毛材が植えられた柄付きブラシやタワシを用いて洗浄していた。しかし、前記柄付きブラシやタワシは円筒状の洗浄対象物に対して点で接触するのみであるため、３６０度ブラシを回して全周を洗浄するのに手間がかかった。また、長い対象物を洗浄する際に多大な労力を要することが多かった。
【０００３】
円筒状対象物を洗浄する手段として、鋼針を植えた半円筒状のゴム台にさらに弾性の合成樹脂カバーで覆った半円筒状のブラシを用いる方法が提案されている（特許文献１）。しかし、この方法では、湾曲した対象物を洗浄することが困難であった。
【０００４】
この改善方法として、特許文献２に記載された、らせん状の筒型内側にワイヤーブラシを設け、間隔を広げた所から、らせん状の筒型を回しながら鉄柱に差し込み、らせん状の筒型を回転、上下させて鉄柱表面を洗浄する方法が提案されている。しかし、このらせん状の筒型ブラシは、切れ目の間隔を広げるとブラシ内径が小さくなるので、洗浄対象物の外径によっては使用できないことがあった。
【先行技術文献】
【特許文献】
【０００５】
【特許文献１】実公昭４６−０２７５８０号公報
【特許文献２】特開２００３−７０５４５号公報
【考案の概要】
【考案が解決しようとする課題】
【０００６】
従来型のブラシで円筒状対象物表面を洗浄する場合、ブラシの先が洗浄する曲面に一部しか当たらない為、効率が悪かった。また、湾曲した対象物や長い対象物を洗浄する際に多大な労力を要することが多かった。
さらに、対象物に巻き付けて洗浄するタイプのブラシにおいても、対象物の外径に応じ内径のブラシを用意しなければならないという不便さがあった。
【課題を解決するための手段】
【０００７】
少なくとも２本以上の細い金属の芯線の間に、芯線に垂直方向に毛材を挟んで撚ることにより形成したブラシ材を、さらにらせん状に成形した摺洗具を用いる。
【０００８】
洗浄対象物への装着方法は、円筒状の洗浄対象物を摺洗具のらせんの空隙に差し込んで回すことにより行う。脱着容易性の観点から、摺洗具の長さは洗浄対象物の周長の１〜１．５倍であることが好ましい。
【０００９】
洗浄は、装着した前記摺洗具を円筒状の洗浄対象物に沿ってスライド、回転させることにより行う。
【考案の効果】
【００１０】
本考案のらせん状ブラシは、洗浄対象物をらせんの空隙に差し込むことにより装着するため、対象物の外径の大小にかかわらず容易に装着することができる。また、らせん状ブラシの芯線は細い金属線を用いているため柔軟性があるので、対象物に巻き付けて装着することも可能である。したがって対象物の外径に応じた何種類もの摺洗具を用意する必要がない。
【００１１】
手の平でらせん状ブラシをスライドおよび回転させるだけで、対象物外面に均等にブラシの先が当たるので、簡単に汚れを除去できる。また、長さのある鉄柱や鉄パイプの錆やペンキなどを効率良く除去、研磨する事ができる。さらに、湾曲した対象物や長い対象物を洗浄する際に多大な労力を必要とすることがない。
【図面の簡単な説明】
【００１２】
【図１】図１は本考案の摺洗具の実施方法を正面図で示した説明図である。（実施例１）
【図２】図２は本考案の摺洗具の上記実施方法を側面図で示した説明図である。（実施例１）
【図３】図３は本考案の摺洗具の実施方法を正面図で示した説明図である。（実施例２）
【図４】図４は本考案の摺洗具の実施方法を側面図で示した説明図である。（実施例２）
【考案を実施するための形態】
【００１３】
本考案の摺洗具は、市販のひねりブラシを用いて簡便に作製することができるが、上記本考案の課題の解決により適したひねりブラシを製作して用いることもできる。
【００１４】
摺洗具の芯線は洗浄という目的から、ステンレスを用い、毛材としてはナイロンならびにパキンやシダなどの植物繊維を用いたものを選定する。
【００１５】
市販されているひねりブラシは通常直線状の形態であるが、本考案の摺洗具は、らせん状の形態を特徴としている。直線状のひねりブラシをらせん状に成形するには、適当な径の棒に巻きつけるなどの方法がある。
【実施例１】
【００１６】
本考案の第１の実施方法を説明する。図１および図２は本考案の摺洗具の第一の実施方法をそれぞれ正面図および側面図で示した説明図である。
【００１７】
２本のφ１．０ｍｍ、長さ２００ｍｍのステンレス芯線1の間に、パーム椰子の線材２を挟んで撚ることでブラシを作製する。さらに前記ブラシをφ２０ｍｍの棒に巻き付けてらせん状に成形して摺洗具４を作製する。
【００１８】
本摺洗具３を使用するときは、本摺洗具４を回しながら、らせん間隙５から水道用ホース３に差し込んで装着し、本摺洗具をホース３に沿ってスライド、回転させる事でホース３表面の汚れを除去することができる。本摺洗具４の毛先はホース３表面に対して常に垂直に当たるため、効率良く汚れを除去することができる。水道用ホース３が長い場合でも多大な労力を必要とすることがない。
【実施例２】
【００１９】
本考案の第２の実施方法を説明する。図３および図４は本考案の摺洗具の第２の実施方法をそれぞれ正面図および側面図で示した説明図である。
【００２０】
２本のφ１．０ｍｍ、長さ２００ｍｍのステンレス芯線１の間に、ナイロンの線材２を挟んで撚ることでブラシを作製する。さらに前記ブラシをφ２０ｍｍの棒に巻き付けてらせん状に成形する。さらに、らせん外周からドライアー等を用いて加熱することにより毛先の方向を全てらせんの中心方向に向けた摺洗具４を作製する。
【００２１】
本摺洗具４の使用方法は実施例１と同様である。本摺洗具４においては毛先の方向が全てらせんの中心方向、すなわち水道用ホース３に向いているため洗浄効率が高い。
【産業上の利用可能性】
【００２２】
本考案の摺洗具は、ホースや電力ケーブル等の円筒状対象物の形状や外径の大小にかかわらず容易に装着することができ、手の平で本摺洗具をスライドおよび回転させるだけで簡単に汚れを除去できるので、ガーデニングや農業のみならず建設作業をはじめとする広い分野で利用することが可能である。
【符号の説明】
【００２３】
１    芯線
２    毛材
３    円筒状対象物
４    摺洗具
５    らせん間隙
【図１】
0003202995.tif 000003
【図２】
0003202995.tif 000004
【図３】
0003202995.tif 000005
【図４】
0003202995.tif 000006